【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
駆動機構と、
第１の端部で固定され、第２の端部で前記駆動機構に接続される、複数の形状記憶合金（ＳＭＡ）要素または負熱膨張（ＮＴＥ）要素を備える、エンジンであって、前記エンジンが、平行に配列された複数のＮＥＴ要素またはＳＭＡ要素を伴うコアを画定し、ブラケットが、前記ＳＭＡ要素またはＮＴＥ要素が、前記ＳＭＡ要素またはＮＴＥ要素がともに緊密に充填されることを確実にするバンドル摩擦嵌合構成で配列されるように、一方の端部で前記ＳＭＡ要素またはＮＴＥ要素をともに圧着するように適合されることを特徴とする、エンジンと、
を備える、エネルギー回収デバイス。
【請求項２】
少なくとも１つのＳＭＡ要素またはＮＴＥ要素は、使用中に前記要素の滑動を防止する機械的障壁を作成するように、一方の端部でスエージ加工される、請求項１に記載のエネルギー回収デバイス。
【請求項３】
摩擦嵌合デバイスを備える、請求項１〜２のいずれか一項に記載のエネルギー回収デバイス。
【請求項４】
前記デバイスは、摩擦嵌合構成で前記ＳＭＡ要素またはＮＴＥ要素を固着するように適合される、チャックを備える、請求項３に記載のエネルギー回収デバイス。
【請求項５】
前記チャックは、クランプと、前記ＳＭＡ要素またはＮＴＥ要素に印加される力を調節するように構成される調節装置とを備える、請求項４に記載のエネルギー回収デバイス。
【請求項６】
摩擦嵌合デバイスを備え、前記デバイスは、シャックルを使用して前記ＳＭＡ要素またはＮＴＥ要素の周囲で引っ張られるように適合されるチェーンを備える、請求項１〜５のいずれか一項に記載のエネルギー回収デバイス。
【請求項７】
摩擦嵌合デバイスを備え、前記デバイスは、前記ＳＭＡ要素またはＮＴＥ要素がともに緊密に充填されることを確実にするように、ばねクリップを備える、請求項１〜６のいずれか一項に記載のエネルギー回収デバイス。
【請求項８】
前記ばねクリップは、円形様式で巻かれ、スロットを通して後方に嵌合される剛性材料を含む、請求項７に記載のエネルギー回収デバイス。
【請求項９】
摩擦嵌合デバイスを備え、前記デバイスは、摩擦嵌合構成で前記ＳＭＡ要素またはＮＴＥ要素を固着するように適合されるクランプを備え、前記クランプは、前記ＳＭＡ要素またはＮＴＥ要素の周囲で前記クランプを押進させるように、少なくとも１つのばねによって付勢される、請求項１〜８のいずれか一項に記載のエネルギー回収デバイス。
【請求項１０】
摩擦嵌合デバイスを備え、前記デバイスは、摩擦嵌合構成で前記ＳＭＡ要素またはＮＴＥ要素を固着するように、ケーブルグランドを備える、請求項１〜９のいずれか一項に記載のエネルギー回収デバイス。
【請求項１１】
摩擦嵌合デバイスを備え、前記デバイスは、摩擦嵌合構成で前記ＳＭＡ要素またはＮＴＥ要素を固着するように、加圧弾性管状リングを備える、請求項１〜１０のいずれか一項に記載のエネルギー回収デバイス。
【請求項１２】
前記弾性管状リングは、膨張可能である、請求項１１に記載のエネルギー回収デバイス。
【請求項１３】
摩擦嵌合デバイスを備え、前記デバイスは、前記ＳＭＡ要素またはＮＴＥ要素を定位置で保定するように構成される圧縮リングを備える、請求項１〜１２のいずれか一項に記載のエネルギー回収デバイス。
【請求項１４】
摩擦嵌合デバイスを備え、前記デバイスは、少なくとも１つの溝支持体を備える、請求項１〜１３のいずれか一項に記載のエネルギー回収デバイス。
【請求項１５】
少なくとも１つのＳＭＡ要素またはＮＴＥ要素は、ねじ山付きワイヤを備える、請求項１〜１４のいずれか一項に記載のエネルギー回収デバイス。
【請求項１６】
前記ねじ山付きワイヤは、直線螺旋ねじ山または先細螺旋ねじ山を備える、請求項１５に記載のエネルギー回収デバイス。
【手続補正２】
【補正対象書類名】明細書
【補正対象項目名】００２５
【補正方法】変更
【補正の内容】
【００２５】
別の実施形態では、形状記憶合金または他の負熱膨張（ＮＴＥ）材料を含む、エネルギー回収デバイスで使用するための複数のワイヤ要素が提供され、少なくとも１つのワイヤ要素は、ワイヤ要素が隣接して配列され、相互と摩擦もしくは干渉接触し、固着手段を利用して、ワイヤの外周に固着されるように、一方の端部で固定され、第２の端部で自由に動くことができる。
本発明は、例えば、以下を提供する。
（項目１）
駆動機構と、
第１の端部で固定され、第２の端部で前記駆動機構に接続される、複数の形状記憶合金（ＳＭＡ）要素または負熱膨張（ＮＴＥ）要素を備える、エンジンであって、前記ＮＴＥ要素が、前記ＮＴＥ要素が緊密に充填されることを確実にするように適合されたバンドル摩擦嵌合構成で配列されることを特徴とする、エンジンと、
を備える、エネルギー回収デバイス。
（項目２）
バンドル摩擦嵌合構成で前記ＳＭＡまたはＮＴＥ要素をともに圧着するように適合される、ブラケットを備える、項目１に記載のエネルギー回収デバイス。
（項目３）
少なくとも１つのＳＭＡまたはＮＴＥ要素は、使用中に前記要素の滑動を防止する機械的障壁を作成するように、一方の端部でスエージ加工される、項目１または２に記載のエネルギー回収デバイス
（項目４）
摩擦嵌合デバイスを備える、いずれかの前記項目に記載のエネルギー回収デバイス。
（項目５）
前記デバイスは、摩擦嵌合構成で前記ＳＭＡまたはＮＴＥ要素を固着するように適合される、チャックを備える、項目４に記載のエネルギー回収デバイス。
（項目６）
前記チャックは、クランプと、前記ＳＭＡまたはＮＴＥ要素に印加される力を調節するように構成される調節装置とを備える、項目５に記載のエネルギー回収デバイス。
（項目７）
摩擦嵌合デバイスを備え、前記デバイスは、シャックルを使用して前記ＳＭＡまたはＮＴＥ要素の周囲で引っ張られるように適合されるチェーンを備える、いずれかの前記項目に記載のエネルギー回収デバイス。
（項目８）
摩擦嵌合デバイスを備え、前記デバイスは、前記ＳＭＡまたはＮＴＥ要素がともに緊密に充填されていることを確実にするように、ばねクリップを備える、いずれかの前記項目に記載のエネルギー回収デバイス。
（項目９）
前記ばねクリップは、円形様式で包まれ、スロットを通して後方に嵌合される剛性材料を含む、項目８に記載のエネルギー回収デバイス。
（項目１０）
摩擦嵌合デバイスを備え、前記デバイスは、摩擦嵌合構成で前記ＳＭＡまたはＮＴＥ要素を固着するように適合されるクランプを備え、前記クランプは、前記ＳＭＡまたはＮＴＥ要素の周囲で前記クランプを押進させるように、少なくとも１つのばねによって付勢される、いずれかの前記項目に記載のエネルギー回収デバイス。
（項目１１）
摩擦嵌合デバイスを備え、前記デバイスは、摩擦嵌合構成で前記ＳＭＡまたはＮＴＥ要素を固着するように、ケーブルグランドを備える、いずれかの前記項目に記載のエネルギー回収デバイス。
（項目１２）
摩擦嵌合デバイスを備え、前記デバイスは、摩擦嵌合構成で前記ＳＭＡまたはＮＴＥ要素を固着するように、加圧弾性管状リングを備える、いずれかの前記項目に記載のエネルギー回収デバイス。
（項目１３）
前記弾性管状リングは、膨張可能である、項目１２に記載のエネルギー回収デバイス。
（項目１４）
摩擦嵌合デバイスを備え、前記デバイスは、前記ＳＭＡまたはＮＴＥ要素を定位置で保定するように構成される圧縮リングを備える、いずれかの前記項目に記載のエネルギー回収デバイス。
（項目１５）
摩擦嵌合デバイスを備え、前記デバイスは、少なくとも１つの溝支持体を備える、いずれかの前記項目に記載のエネルギー回収デバイス。
（項目１６）
少なくとも１つのＳＭＡまたはＮＴＥ要素は、ねじ山付きワイヤを備える、いずれかの前記項目に記載のエネルギー回収デバイス。
（項目１７）
前記ねじ山付きワイヤは、直線螺旋ねじ山または先細螺旋ねじ山を備える、項目１６に記載のエネルギー回収デバイス。
（項目１８）
形状記憶合金または他の負熱膨張（ＮＴＥ）材料を含む、エネルギー回収デバイスで使用するための複数のワイヤ要素であって、少なくとも１つのワイヤ要素は、前記ワイヤ要素が隣接して配列され、相互と摩擦もしくは干渉接触し、固着手段を利用して、ワイヤの外周に固着されるように、一方の端部で固定され、第２の端部で自由に動くことができる、ワイヤ要素。